(57)【要約】【課題】中央分離帯や路肩の雑草を除草する際、交通規制を解除して短時間で効率よく除草できる走行式除草剤散布装置を提供すること。【解決手段】散布装置１０をトラック１の側あおり５に装着する。散布装置１０は、除草剤を散布する散布部４０及び側あおり５に装着するフレーム部１１と側あおり５を狭持する水平可動体１６とを備えている。フレーム部１１には、散布部４０を上下移動する可動枠部１５を備えるとともに散布部４０を垂直方向と水平方向に傾倒可能な傾倒駆動部３０を備えている。また、散布装置１０は、可動枠部１５を上下移動する第１の油圧式シリンダと、散布部４０を傾倒可能に駆動する第２の油圧式シリンダと散布部４０を水平方向で伸縮駆動する第３の油圧式シリンダを備えて、雑草に満遍なく除草剤を散布する。【選択図】図５
0003138510.tif 000002
【実用新案登録請求の範囲】
【請求項１】
トラックの荷台に着脱可能に配置されて、道路中央分離帯や路肩の雑草に除草剤を散布する走行式除草剤散布装置であって、
前記荷台に装着するフレーム部と、除草剤を散布する散布部とを備え、
前記散布部は、未使用時における垂直位置と前記除草剤を散布する水平位置との２位置を移動可能に配置されるとともに、前記除草剤の高さ方向又は水平方向に接近離隔可能な位置調整可能に構成され、
前記フレーム部には、前記フレーム部を前記荷台に固着するための締結手段及び前記散布部を前記除草剤への高さ方向で接近離隔移動する第１の駆動手段、前記散布部の２位置移動を駆動する第２の駆動手段と、前記散布部を前記除草剤への水平方向で接近離隔移動する第３の駆動手段が装着されていることを特徴とする走行式除草剤散布装置。
【請求項２】
前記散布部には、除草剤の目詰まり防止用のノズルが装着されていることを特徴とする請求項１記載の走行式除草剤散布装置。
【請求項３】
前記ノズルの周りには、前記除草剤の粒子の飛散防止用の傘状カバーが設けられていることを特徴とする請求項２記載の走行式除草剤散布装置。
【請求項４】
前記第１の駆動手段が、第１の油圧式シリンダを備えて、遠隔位置にある操作盤で操作されることを特徴とする請求項１，２又は３記載の走行式除草剤散布装置。
【請求項５】
前記第２の駆動手段が、第２の油圧式シリンダと前記散布部を傾倒可能に案内する溝付き案内プレートを備え、前記第２の油圧シリンダが遠隔位置にある操作盤で操作されることを特徴とする請求項１，２，３又は４記載の走行式除草剤散布装置。
【請求項６】
前記第３の駆動手段が、第３の油圧式シリンダを備えて、遠隔位置にある操作盤で操作されることを特徴とする請求項１，２，３，４又は５記載の走行式除草剤散布装置。
【考案の詳細な説明】
【技術分野】
【０００１】
本考案は、一般道路や高速道路における中央分離帯や路肩の雑草を除草する走行式除草剤散布装置に関する。
【背景技術】
【０００２】
従来、除草剤を散布する走行機体は、特許文献１に示すように、主に田んぼや畑の雑草を除去するものが多く、これらは田地や畑地に入り除草剤を散布していた。特許文献１の除草剤散布装置は、除草剤をタイヤ後方の轍部分に散布し、その際、タイヤの後方の轍部分の散布が、走行機体の旋回時において、タイヤの後方に散布した轍部分から外れることなく追従して行えるものであり、轍部分への薬効を維持できるように構成されている。つまり、タイヤを走行させるナックル部に基端部が取り付けられてタイヤと略平行に後方へ延長された支持杆と、支持杆の先端部であって且つタイヤの後方位置に下向きに設けられた散布ノズルとから構成されている。このように、特許文献１又は他の従来の走行式除草剤散布装置は、走行機体が田地や畑地に入り込んで走行するものであり、その際の、課題を解決できるように構成されているものである。
【０００３】
一方、一般道路や高速道路の中央分離帯又は路肩に生える雑草は、常時、除草することができず雑草が大きくなっている場合が多い。この雑草を除去するために除草剤を散布する場合には、他の車両が走行している状態で行わなければならなかった。
【特許文献１】特開２００７−２２２０２７公報
【考案の開示】
【考案が解決しようとする課題】
【０００４】
従来、中央分離帯内の雑草を除草するためには、道路規制をして車両の運行を止めるか少なくするかによって行われていた。道路規制をしてもその範囲しか除草剤を散布することができず、その範囲で散布が終了すると、次の場所に移動して再び道路規制を行うことになっていた。そのため、除草剤の散布作業の作業効率を低下させることになり、時間がかかることから道路規制時間も長くなって渋滞の要因となっていた。
【課題を解決するための手段】
【０００５】
本考案は、上述の課題を解決するものであり、道路規制を解除して効率よく作業を行えるとともに除草剤の散布の際に除草剤の飛散を防止できる走行式除草剤散布装置を提供することを目的とするものである。そのために本考案に係る走行式除草剤散布装置は、以下のように構成するものである。すなわち、
請求項１記載の考案では、トラックの荷台に着脱可能に配置されて、道路中央分離帯や路肩の雑草に除草剤を散布する走行式除草剤散布装置であって、前記荷台に装着するフレーム部と、除草剤を散布する散布部とを備え、前記散布部は、未使用時における垂直位置と前記除草剤を散布する水平位置との２位置を移動可能に配置されるとともに、前記除草剤の高さ方向又は水平方向に接近離隔可能な位置調整可能に構成され、前記フレーム部には、前記フレーム部を前記荷台に固着するための締結手段及び前記散布部を前記除草剤への高さ方向で接近離隔移動する第１の駆動手段、前記散布部の２位置移動を駆動する第２の駆動手段と、前記散布部を前記除草剤への水平方向で接近離隔移動する第３の駆動手段が装着されていることを特徴とするものである。
【０００６】
請求項２記載の考案では、前記散布部には、除草剤の目詰まり防止用のノズルが装着されていることを特徴としている。
【０００７】
請求項３記載の考案では、前記ノズルの周りには、前記除草剤の粒子の飛散防止用の傘状カバーが設けられていることを特徴としている。
【０００８】
請求項４記載の考案では、前記第１の駆動手段が、第１の油圧式シリンダを備えて、遠隔位置にある操作盤で操作されることを特徴としている。
【０００９】
請求項５記載の考案では、前記第２の駆動手段が、第２の油圧式シリンダと前記散布部を傾倒可能に案内する溝付き案内プレートを備え、前記第２の油圧シリンダが遠隔位置にある操作盤で操作されることを特徴としている。
【００１０】
請求項６記載の考案では、前記第３の駆動手段が、第３の油圧式シリンダを備えて、遠隔位置にある操作盤で操作されることを特徴としている。
【考案の効果】
【００１１】
本考案では、この走行式除草剤散布装置を、トラックの荷台に取り付けて支持する。この状態では、散布部は接続部によってトラックの側面から突出しないように、トラック側に傾倒されている。運転手は約５０Ｋｍ／Ｓ程度で走行し、助手の人が散布装置を操作する。トラックの走行中に中央分離帯や路肩が近づいて除草剤を散布する場合には、助手の人の操作により、まず散布部を除草剤に対して第１の駆動手段、例えば油圧式シリンダによって高さ調整した後、散布部を中央分離帯や路肩側に突出するように第２の駆動手段、例えば油圧式シリンダによって傾倒させる。散布部が雑草に到達していないときは、第３の駆動手段、例えば、油圧式シリンダを作動させることによって散布部を伸長させてその長さを調節する。また、散布部が延び過ぎている場合には、その長さを短くする方向に調節する。そして、散布部に配置された傘部が下向きであることを確認後、除草剤を散布する。
【００１２】
上述のように、本考案によれば、走行式除草剤散布装置をトラックの荷台に装着できることから、一般道路や高速道路を走行中に、中央分離帯や路肩に向かって除草剤を散布することができる。また、散布部に配設されたノズルには細かい粒子が固まって目詰まりとなることを防止することができる。
【００１３】
さらに、散布部は未使用時においてトラックの側部に垂直方向に傾倒され、使用時には雑草側に延長するように水平方向に傾倒されることから、使用時に使用中であることを、他の車両を運転している運転手に案内することによって安全に作業することができる。また、散布部は除草剤の高さに合わせたり接近離隔したりして上下方向又は水平方向に伸縮可能に構成されているから、除草剤の確実な散布を行うことができる。
【００１４】
しかも、散布部からの除草剤の散布や散布部の位置の移動の調節は、トラック助手による操作盤での操作で行うことができることから、トラックの走行中に散布作業を行うことができる。したがって作業効率を向上させることが可能となる。
【考案を実施するための最良の形態】
【００１５】
次に、本考案による走行式除草剤散布装置の一形態について図面に基づいて説明する。
【００１６】
実施形態の走行式除草剤散布装置（以下、散布装置という）は、トラックの荷台に装着して使用するものであり、図１〜４は散布装置を示し、図５は散布装置をトラックの荷台に装着した状態を示すものである。また、図６は散布部を水平方向に傾倒させた状態を示す斜視図である。
【００１７】
図５に示すように、散布装置１０は、トラック１の荷台３に配置された側あおり５に装着されるフレーム部１１と、除草剤を散布する散布部４０とを備えて構成されている。
【００１８】
図１〜４に示すように、フレーム部１１は、並設する２本の立て支柱１２１、１２１を有して正面に配置される正面フレーム部１２と、並設する２本の上部水平支柱１３１、１３１を有して正面フレーム部１２の上端から後方に向かって配置される上部フレーム部１３とを備えている。正面フレーム部１２の上端部には上横支柱１２２が一体的に形成され上横支柱１２２の下方には下横支柱１２３が一体的に形成されている。上横支柱１２２は上部フレーム部１３の前端部として上部フレーム部１３とも一体的に形成されている。上横支柱１２２には雌ねじ１２２ａが形成され長ネジ１２４が螺合される。下横支柱１２３には雌ねじ１２３ａが形成され長ネジ１２５が螺合される。長ネジ１２５には側あおり５に係止可能なフックが装着されている。
【００１９】
また、正面フレーム部１２には、下横支柱１２３の下方に一対の立て支柱１２１、１２１に案内される可動枠体１５が配置されている。可動枠体１５は、上下枠部１５１、１５２、側枠部１５３、１５４を有して四方枠状に形成され一対の側枠部１５３、１５４が摺動可能に形成されている。上枠部１５１の下方には矩形板状の支持板１５５が上枠部１５１と一方の側枠部１５３に溶接にて固着されている。
【００２０】
一方、上部フレーム部１３には、一対の上部水平支柱１３１、１３１に水平可動体１６が摺動可能に配置されている。水平可動体１６は、一対の上部水平支柱１３１、１３１に摺動可能に配置される摺動部１６１、１６１と、一対の摺動部１６１、１６１を連結する連結支柱１６２とを備えている。連結支柱１６２には、中央部に雌ねじ１６２ａが形成され長ネジ１２４が螺合される。一対の摺動部１６１，１６１の前端面には、ブラケット１６３、１６３が配置され、それぞれのブラケット１６３、１６３には、トラック１の側あおり５を狭持するための押圧パット１７、１７が装着されている。なお、下横支柱１２３には、側あおり５の下部を狭持するための押圧パット１８、１８が装着されている。
【００２１】
フレーム部１１には、一端が可動枠部１５の一方の側枠部１５４に連結され他端が一方の立て支柱１２１に支持されて可動枠部１５を移動駆動する駆動手段としての第１の油圧式シリンダ２１が装着されている。つまり、図１に示すように、第１の油圧式シリンダ２１のピストンロッド２１１は側枠部１５４に固着されたブラケット２２にピン２３で連結されるとともに、ピン２３の先端は可動枠部１５の支持板１５５に固着されたブラケット２４に連結されている。これによって、可動枠部１５は第１の油圧式シリンダ２１の作動によって正面フレーム部１２に対して上下移動可能に作用される。
【００２２】
一方、支持板１５５の正面側には散布部４０を傾倒可能に駆動する傾倒駆動部３０が配置されている。傾倒駆動部３０は、可動枠部１５の下枠部１５２に一端が支持された第２の油圧式シリンダ３１と、第２の油圧式シリンダ３１のピストンロッド３１１にピン３２で連結されて案内溝３３１を有する案内プレート３３と、案内プレート３３を回動可能に支持する支持ピン３４（図６参照）と、支持ピン３４を軸受支持する軸受体３５と、支持ピン３４に連結されて支持ピン３４とともに回動する回動レバー３６と、回動レバー３６とともに回動されて回動レバー３６に対して摺動可能な断面コ字状のシリンダ保持部材（以下、傾倒アームという）３７とを備えている。傾倒アーム３７の先端には散布部４０が装着されている。
【００２３】
これによって、第２の油圧式シリンダ３１のピルトンロッド３１１の伸縮により案内プレート３３が支持ピン３４とともに回動して回動レバー３６と傾倒アーム３７とを回動する。傾倒アーム３７には散布部４０が装着されているから、散布部４０が垂直位置と水平位置との間で傾倒することとなる。なお、軸受体３５には散布部４０が垂直方向に傾倒させる方向に付勢するばね３５１が配置されている。
【００２４】
傾倒アーム３７には一端が回動レバー３６に支持されてピストンロッド３８１が傾倒アーム３７に連結する第３の油圧式シリンダ３８が配置されている。これによって、第３の油圧シリンダ３８のピストンロッド３８１の伸縮により散布部４０が回動レバー３６に対して移動することになり、散布部４０の水平位置において、伸縮可能に作用されることとなる。
【００２５】
第１の油圧式シリンダ２１、第２の油圧式シリンダ３１、第３の油圧式シリンダ３８は駆動源を一体的に装着するとともに遠隔位置で操作可能な図示しない操作盤で操作される。
【００２６】
散布部４０は、除草剤を収納するタンク４１（図５参照）と、図３に示すように、タンク４１からホースを介して傾倒アーム３７に装着されるノズル４２と、ノズル４２の周りを覆うように装着される傘状のカバー４３と、を備えている。ノズル４２は、タンク４１から送給された除草剤を衝突させることによって粒状に形成するように構成された充円錐ノズルを採用している。このノズル４２は、旋回子を使用することなく流入口と噴出口４２１とが１孔で形成されている。これによって除草剤が固まって目詰まりすることを防止している。カバー４３は内部が中空に形成された半球状に形成されてノズル４２から噴出した粒状の除草剤の飛散防止としている。
【００２７】
次に上記のように構成された除草剤散布装置１０の作用について図面に基づいて説明する。
【００２８】
除草剤が収納されたタンク４１をトラック１の荷台３上に載せるとともに、散布装置１０をトラック１の側あおり５に装着する。散布装置の各油圧式シリンダに油圧ホースを装着し、電線コードを操作盤に連結する。また、散布部４０のノズル４２に除草剤が収納されたタンク４１をホースで繋げて除草剤を噴出可能にする。また、散布部４０は、傾倒アーム３７を垂直状態にすることによってトラック１側に傾倒しておく。
【００２９】
この状態で、まず、散布装置１０をトラック１の側あおり５に装着する。この場合、除草剤を中央分離帯に散布する場合に、散布装置１０をトラック１の走行方向に対して右側の側あおり５に装着し、除草剤を道路の路肩に散布する場合には、散布装置１０をトラック１の走行方向に対して左側の側あおり５に装着する。
【００３０】
散布装置１０を側あおり３に装着する際、まず、正面フレーム部１２を側あおり５の外面に配置し水平可動体１６を側あおり５の幅より広げた状態で、散布装置１０を側あおり５に装着する。この際、下横支柱１２３に取り付けた長ネジ１２５は側あおり５の下方からトラック１の中央に向かって延設する。そして、正面フレーム部１２の上横支柱１２２に取り付けた長ネジ１２４を回転させて水平可動体１６自体を側あおり５側に接近させる。水平可動体１６の押圧パット１７が側あおり５に当接するとさらに長ネジ１２４を回転させて側あおり５を締め付ける。同様に、下方の長ネジ１２５を回転させる。長ネジ１２５の回転によって長ネジ１２５に装着されているフック１２６を側あおり５の下部に係止するとともに、押圧パット１８で側あおり５の下部を締め付ける。
【００３１】
この状態でトラック１を走行する。トラック１には、運転手と除草剤の散布を操作する助手が搭乗している。トラックが除草剤を散布する中央分離帯又は路肩の近くに移動すると、トラック１は約５０Ｋｍ／Ｓの速度で走行する。トラックの天井には、例えば、パトライトを転倒させて周辺の車両の運転手に除草剤を散布する合図を行う。
【００３２】
そして、除草剤を散布する位置に近づくと、助手が操作盤を操作する。第１の油圧式シリンダ２１を作動させて、可動枠部１５の高さ調整を行うとともに、図６に示すように、第２の油圧式シリンダ３１を作動させて、散布部４０を垂直方向から水平方向に傾倒させる。水平方向に達した散布部４０のカバー４３が下向きに配置され、ノズル４２が噴出口４２１を下向きにしていることを確認する。そして、操作盤を操作して除草剤をタンク４１から吸引してノズル４２から噴出させる。除草剤はカバー４３によって飛散することが防止され、雑草の直上に散布される。この際、散布部４０を雑草の位置に合わせて、第３の油圧式シリンダ３８によってトラック１から伸縮するように移動させて雑草の全てに散布できるようにする。散布終了後は、第２の油圧式シリンダ３１を作動させて、図５に示すように、傾倒アーム３７を垂直方向に傾倒させる。
【００３３】
上述のように、散布装置１０をトラック１の側あおり５に装着して走行できるようにしたので、走行中に除草剤を散布することができ交通規制を必要としない。しかも、走行中に除草剤を散布できることは、長距離間にわたって散布できることから、短時間で行えることとなって効率のよい散布作業となる。
【００３４】
また、この散布装置１０は、走行中にはトラック１側に配置し散布作業を行う際には水平方向に傾倒できることから、トラック１を安全に走行させることができる。さらに、ノズルの位置の高さ調整、トラック１からの伸縮位置調整を行うように構成されているから、中央分離帯雑草を又は路肩の雑草全体にわたって満遍なく除草剤を散布することができる。
【００３５】
なお、本考案の走行式除草剤散布装置は、上述の形態に限定するものではない。例えば、可動枠部を上下移動する駆動手段又は散布部を水平方向に伸縮させる駆動手段は油圧式シリンダでなくてもよく、モータ駆動で伸縮可能なレバーを有する構造のものでもよい。また、散布部を傾倒駆動させる駆動手段は回動レバーを直接回動させるモータであってもよい。さらには、水平可動体を移動させる手段に油圧式シリンダやモータ等を使用してもよい。
【図面の簡単な説明】
【００３６】
【図１】本考案による一形態の散布装置を示す分解斜視図である。
【図２】図１における散布装置を示す側面図である。
【図３】同正面図である。
【図４】同平面図である。
【図５】本装置をトラックに装着した状態を示す斜視図である。
【図６】傾倒アーム（又は散布部）を水平方向に傾倒させた状態を示す斜視図である。
【符号の説明】
【００３７】
１、トラック
３、荷台
５、側あおり
１０、散布装置
１１、フレーム部
１２、正面フレーム部
１３、上部フレーム部
１５、可動枠部
１６、水平可動体
２１、第１の油圧式シリンダ
３０、傾倒駆動部
３１、第２の油圧式シリンダ
３３、案内プレート
３３１、案内溝
３４、支持ピン
３５、軸受体
３６、回動レバー
３７、傾倒アーム
３８、第３の油圧式シリンダ
４０、散布部
４２、ノズル
４３、カバー
【図１】
0003138510.tif 000003
【図２】
0003138510.tif 000004
【図３】
0003138510.tif 000005
【図４】
0003138510.tif 000006
【図５】
0003138510.tif 000007
【図６】
0003138510.tif 000008